(57)【特許請求の範囲】
【請求項１】
第１、第２及び第３の周波数帯域に整合のとれた第１のアンテナと、前記第３の周波数帯域に整合のとれた第２のアンテナと、前記第１のアンテナから受信した信号を、前記第１の周波数帯域の信号と、前記第２及び前記第３の周波数帯域の信号とに分配するダイプレクサと、前記第１の周波数帯域の信号を送信する第１の送信器、あるいは前記第１の周波数帯域の信号を受信する第１の受信器を選択して前記ダイプレクサに接続する第１のスイッチ手段と、前記第２の周波数帯域の信号を受信する第２の受信器、あるいは前記第２の周波数帯域の信号を送信する第２の送信器を選択して前記ダイプレクサに接続する第２のスイッチ手段と、前記第３の周波数帯域の信号を送受信する送受信器に、前記第２のアンテナあるいは前記ダイプレクサを選択して接続する第３のスイッチ手段と、制御手段とを備え、前記制御手段は、少なくとも前記第１の周波数帯域の信号の受信と前記第３の周波数帯域の信号の送信とを同時に行うよう制御することを特徴とするアンテナ装置。
【請求項２】
前記第１および前記第２のアンテナの送受信効率に応じて、使用されるアンテナが切り替えられることを特徴とする請求項１に記載のアンテナ装置。
【請求項３】
前記第１のアンテナと前記ダイプレクサとの間に設けられ、外部アンテナの装着時、前記第１のアンテナに代えて前記外部アンテナを前記ダイプレクサに接続するアンテナ切換コネクタを備えたことを特徴とする請求項１または請求項２に記載のアンテナ装置。
【請求項４】
前記第１のスイッチ手段と前記第１の送信器との間、及び前記第２のスイッチ手段と前記第２の送信機との間の少なくとも一方に低域通過フィルタを備えたことを特徴とする請求項１または請求項２に記載のアンテナ装置。
【請求項５】
前記第１の周波数帯域の信号はＧＳＭ方式の９００ＭＨｚ帯域の信号であり、前記第２の周波数帯域の信号はＤＣＳ方式の１８００ＭＨｚ帯域の信号であり、前記第３の周波数帯域の信号はＷＣＤＭＡ方式の２ＧＨｚ帯域の信号であることを特徴とする請求項１ないし４のいずれかに記載のアンテナ装置。
【請求項６】
前記第１のアンテナは、さらに第４の周波数帯域に整合がとれており、前記ダイプレクサは、前記第１の周波数帯域の信号と、前記第２、第３及び第４の周波数帯域の信号とに分配し、前記第２のスイッチ手段は、前記第２の周波数帯域の信号を受信する第２の受信器、前記第４の周波数帯域の信号を受信する第４の受信器、あるいは前記第２または第４の周波数帯域の信号を送信する第４の送信器を選択して前記ダイプレクサに接続することを特徴とする請求項１または請求項２に記載のアンテナ装置。
【請求項７】
前記第１のアンテナと前記ダイプレクサとの間に設けられ、外部アンテナの装着時、前記第１のアンテナに代えて前記外部アンテナを前記ダイプレクサに接続するアンテナ切換コネクタを備えたことを特徴とする請求項６記載のアンテナ装置。
【請求項８】
前記第１のスイッチ手段と前記第１の送信器との間、及び前記第２のスイッチ手段と前記第４の送信器との間の少なくとも一方に低域通過フィルタを備えたことを特徴とする請求項６に記載のアンテナ装置。
【請求項９】
前記第１の周波数帯域の信号はＧＳＭ方式の９００ＭＨｚ帯域の信号であり、前記第２の周波数帯域の信号はＤＣＳ方式の１８００ＭＨｚ帯域の信号であり、前記第３の周波数帯域の信号はＷＣＤＭＡ方式の２ＧＨｚ帯域の信号であり、前記第４の周波数帯域の信号はＰＣＳ方式の１９００ＭＨｚ帯域の信号であることを特徴とする請求項６ないし８のいずれかに記載のアンテナ装置。
【発明の詳細な説明】
【０００１】
【発明の属する技術分野】
本発明は、移動体通信に用いられ、複数の周波数帯域かつ複数の変調方式に対応可能なアンテナ装置に関する。
【０００２】
【従来の技術】
近年、携帯電話システムに代表される移動体通信システムでは、アナログ変調方式である第１世代から変化したデジタル変調方式である第２世代、さらには高いデータ伝送レートを実現し、世界的にシームレスに使用可能な第３世代に移行しつつある。
【０００３】
そして、世代間の移行時期には、それぞれの既存の無線通信システムに加え、新しい無線通信システムに対応できるマルチモード、マルチバンドの無線通信装置が必要となる。さらに、このような無線通信装置において、複数の周波数帯域に対応できるアンテナ装置が求められている。
【０００４】
例えば、複数の周波数帯域に対応できるアンテナ装置として、例えば特開２００１−２８５１２２号公報（特許文献１）に示されるものが知られている。この従来例のアンテナ装置は、アンテナを介して受信した受信信号を、周波数の異なるＤＣＳ系及びＧＳＭ系に対応した通信システムに振り分けるダイプレクサと、各通信システムの送信部及び受信部に分離する４ポート高周波スイッチとを備え、移動体通信装置の部品点数を少なくして回路の小型化を可能とするものである。
【０００５】
また、他のアンテナ装置として、高帯域の高周波スイッチを用い、単純に適用機器の対応周波数分の帯域数を持ったマルチバンドアンテナに給電を切り替えるものも検討された。
【０００６】
【特許文献１】
特開２００１−２８５１２２号公報（第３頁、図１）
【０００７】
【発明が解決しようとする課題】
しかしながら、上記従来のアンテナ装置では、以下に掲げる問題があり、その改善が要望されていた。すなわち、アンテナダイバーシチを用いない既存の無線通信システムに対し、新たな周波数帯域を使用し、かつアンテナダイバーシチを使用するシステムを付加する場合、アンテナ装置は、従来と新規のどちらの周波数帯域にも対応し、かつダイバーシチにも対応する必要が生じる。しかし、従来の方式で上記対応を検討すると、無線通信システム毎にアンテナを用意するなど、移動体通信システムにおける携帯端末装置にとって重要な小型化、軽量化の阻害要因となる。
【０００８】
また、従来機種に対して新たな無線通信システム及び周波数帯域を追加する場合、例えば、第２世代の携帯電話システムに第３世代の携帯電話システムを融合させる場合、従来のアンテナエレメント及びアンテナ回路の大幅な改変が必要であった。
【０００９】
本発明は、上記課題を解決するためになされたもので、その目的は、２つの無線通信システム及び３つの周波数帯域など、複数の無線通信システムと周波数帯域に対応し、異なる無線通信システムの受信及び送信を同時に行うことができ、かつアンテナダイバーシチを使用可能なアンテナ装置を簡易な構成で提供することにある。
【００１０】
本発明のアンテナ装置は、第１、第２及び第３の周波数帯域に整合のとれた第１のアンテナと、前記第３の周波数帯域に整合のとれた第２のアンテナと、前記１のアンテナから受信した信号を、前記第１の周波数帯域の信号と、前記第２及び前記第３の周波数帯域の信号とに分配するダイプレクサと、前記第１の周波数帯域の信号を送信する第１の送信器、あるいは前記第１の周波数帯域の信号を受信する第１の受信器を選択して前記ダイプレクサに接続する第１のスイッチ手段と、前記第２の周波数帯域の信号を受信する第２の受信器、あるいは前記第２の周波数帯域の信号を送信する第２の送信器を選択して前記ダイプレクサに接続する第２のスイッチ手段と、前記第３の周波数帯域の信号を送受信する送受信器に、前記第２のアンテナあるいは前記ダイプレクサを選択して接続する第３のスイッチ手段と、制御手段とを備え、前記制御手段は、少なくとも前記第１の周波数帯域の信号の受信と前記第３の周波数帯域の信号の送信とを同時に行うよう制御したことを特徴とする。
また、前記第１および前記第２のアンテナの送受信効率に応じて、使用されるアンテナが切り替えられたことを特徴とする。
【００１１】
上記構成では、第１、第２及び第３の周波数帯域に整合のとれた第１のアンテナから受信した信号を、ダイプレクサで、前記第１の周波数帯域の信号と、前記第２及び前記第３の周波数帯域の信号とに分配する。第１の周波数帯域の信号に対し、第１のスイッチ手段は、第１の受信器あるいは第１の送信器を選択してダイプレクサに接続する。第２の周波数帯域の信号に対し、第２のスイッチ手段は、第２の受信器あるいは第２の送信器を選択してダイプレクサに接続する。また、第３の周波数帯域の信号に対し、第３のスイッチ手段は、第２のアンテナあるいはダイプレクサを選択して送受信器に接続する。これにより、２つの無線通信システム及び３つの周波数帯域に対応し、異なる無線システムの受信及び送信を同時に行うことができ、かつアンテナダイバーシチを使用可能なアンテナ装置を簡易な構成で提供できる。すなわち、第１及び第２の周波数帯域のデュアルバンド・シングルモードのアンテナシステムと、第３の周波数帯域のシングルモードのアンテナシステムとの、３つの周波数帯域に対応した２つのアンテナシステムを、大幅な変更を加えることなく、実現することができる。また、第１の周波数帯域の信号の受信と、第３の周波数帯域の信号の送信とを同時に行うことができる。さらに、第３の周波数帯域に関し、アンテナダイバーシチが使用可能なアンテナ装置を簡単に提供できる。
【００１２】
また、前記第１のアンテナと前記ダイプレクサとの間に設けられ、外部アンテナの装着時、前記第１のアンテナに代えて前記外部アンテナを前記ダイプレクサに接続するアンテナ切換コネクタを備えたことを特徴とする。
【００１３】
上記構成によれば、第１のアンテナの代わりに外部アンテナを使用できる３つの周波数帯域に対応したデュアルモード／マルチバンドアンテナ装置を提供できる。
【００１４】
また、前記第１のスイッチ手段と前記第１の送信器との間、及び前記第２のスイッチ手段と前記第２の送信器との間の少なくとも一方に低域通過フィルタを備えたことを特徴とする。
【００１５】
上記構成によれば、送信信号の高調波成分を低減した送信波を送信可能な３つの周波数帯域に対応したデュアルモード／マルチバンドアンテナ装置を簡単に提供できる。
【００１６】
また、前記第１の周波数帯域の信号はＧＳＭ方式の９００ＭＨｚ帯域の信号であり、前記第２の周波数帯域の信号はＤＣＳ方式の１８００ＭＨｚ帯域の信号であり、前記第３の周波数帯域の信号はＷＣＤＭＡ方式の２ＧＨｚ帯域の信号であることを特徴とする。
【００１７】
上記構成によれば、ＧＳＭ９００／ＤＣＳ１８００のデュアルバンド・シングルモードのアンテナシステムと、ＷＣＤＭＡのアンテナシステムとの、９００ＭＨｚ／１８００ＭＨｚ／２ＧＨｚの３つの周波数帯域に対応した２つのアンテナシステムを、大幅な変更を加えることなく、実現することができる。
【００１８】
さらに、前記第１のアンテナは、さらに第４の周波数帯域に整合がとれており、前記ダイプレクサは、前記第１の周波数帯域の信号と、前記第２、第３及び第４の周波数帯域の信号とに分配し、前記第２のスイッチ手段は、前記第２の周波数帯域の信号を受信する第２の受信器、前記第４の周波数帯域の信号を受信する第４の受信器、あるいは前記第２または第４の周波数帯域の信号を送信する第４の送信器を選択して前記ダイプレクサに接続することを特徴とする。
【００１９】
上記構成によれば、２つの無線通信システム及び４つの周波数帯域に対応し、異なる無線システムの受信及び送信を同時に行うことができ、かつアンテナダイバーシチを使用可能なアンテナ装置を簡易な構成で提供できる。すなわち、第１、第２及び第４の周波数帯域のトライバンド・シングルモードのアンテナシステムと、第３の周波数帯域のシングルモードのアンテナシステムとの、４つの周波数帯域に対応した２つのアンテナシステムを、大幅な変更を加えることなく、実現することができる。また、第１の周波数帯域の信号の受信と、第３の周波数帯域の信号の送信とを同時に行うことができる。さらに、第３の周波数帯域に関し、アンテナダイバーシチが使用可能なアンテナ装置を簡単に提供できる。
【００２０】
また、前記第１〜第４の周波数帯域に整合がとれた第１のアンテナと前記ダイプレクサとの間に設けられ、外部アンテナの装着時、前記第１のアンテナに代えて前記外部アンテナを前記ダイプレクサに接続するアンテナ切換コネクタを備えたことを特徴とする。
【００２１】
上記構成によれば、第１のアンテナの代わりに外部アンテナを使用できる４つの周波数帯域に対応したデュアルモード／マルチバンドアンテナ装置を提供できる。
【００２２】
また、前記第１のスイッチ手段と前記第１の送信器との間、及び前記第２のスイッチ手段と前記第４の送信器との間の少なくとも一方に低域通過フィルタを備えたことを特徴とする。
【００２３】
上記構成によれば、送信信号の高調波成分を低減した送信波を送信可能な４つの周波数帯域に対応したデュアルモード／マルチバンドアンテナ装置を簡単に提供できる。
【００２４】
また、前記第１の周波数帯域の信号はＧＳＭ方式の９００ＭＨｚ帯域の信号であり、前記第２の周波数帯域の信号はＤＣＳ方式の１８００ＭＨｚ帯域の信号であり、前記第３の周波数帯域の信号はＷＣＤＭＡ方式の２ＧＨｚ帯域の信号であり、前記第４の周波数帯域の信号はＰＣＳ方式の１９００ＭＨｚ帯域の信号であることを特徴とする。
【００２５】
上記構成によれば、ＧＳＭ９００／ＤＣＳ１８００／ＰＣＳ１９００のトライバンド・シングルモードのアンテナシステムと、ＷＣＤＭＡのアンテナシステムとの、９００ＭＨｚ／１８００ＭＨｚ／１９００ＭＨｚ／２ＧＨｚの４つの周波数帯域に対応した２つのアンテナシステムを、大幅な変更を加えることなく、実現することができる。
【００２６】
また、前記アンテナ切換コネクタに前記外部アンテナが装着されたことを検出した場合、前記送受信器を前記ダイプレクサに接続するように前記第３のスイッチ手段を切り替える制御手段を備え、前記外部アンテナにて前記第３の周波数帯域の信号を送受信することを特徴とする。
【００２７】
上記構成によれば、第１の周波数帯域の信号の受信と、第３の周波数帯域の信号の送信とを同時に行うことができる。また、第３の周波数帯域に関し、アンテナダイバーシチが使用可能である。さらに、第１のアンテナ及び第２のアンテナを使わずに、外部アンテナのみを使用することもできるデュアルモード／マルチバンドアンテナ装置を簡単に提供できる。
【００２８】
【発明の実施の形態】
以下、図面を参照して本発明の実施形態を説明する。
本実施形態のアンテナ装置は、移動体通信システムの携帯端末装置などの無線通信装置に適用されるものである。
【００２９】
［第１実施形態］
図１は第１実施形態におけるアンテナ装置が適用された無線通信装置の構成を示す図である。この無線通信装置は、第１のアンテナ１、第２のアンテナ２、ダイプレクサ３、第１の高周波スイッチ回路４、第２の高周波スイッチ回路５、第３の高周波スイッチ回路６、第１の周波数受信器７、第１の周波数送信器８、第２の周波数受信器９、第２の周波数送信器１０及び第３の周波数送受信器１１を有する。第１実施形態のアンテナ装置は、第１のアンテナ１、第２のアンテナ２、ダイプレクサ３、第１の高周波スイッチ回路４、第２の高周波スイッチ回路５及び第３の高周波スイッチ回路６を有して構成される。
【００３０】
第１のアンテナ１は、第１、第２及び第３の周波数帯域に整合がとれている。第２のアンテナ２は、第３の周波数帯域に整合がとれている。ダイプレクサ３は、第１のアンテナ１からの信号を、第１の周波数帯域の信号と第２、第３の周波数帯域の信号とに分配するものである。
【００３１】
第１の高周波スイッチ回路４（特許請求の範囲に記載の第１のスイッチ手段に相当）は、第１の周波数受信器７あるいは第１の周波数送信器８とダイプレクサ３との接続を切り替えるものであり、ダイプレクサ３が第１の周波数受信器７に接続された場合、ダイプレクサ３からの第１の周波数帯域の信号を受信器７に伝送し、ダイプレクサ３が第１の周波数送信器８に接続された場合、送信器８からの第１の周波数帯域の信号をダイプレクサ３に伝送する。
【００３２】
第２の高周波スイッチ回路５（特許請求の範囲に記載の第２のスイッチ手段、及び第３のスイッチ手段の一部を含む）は、第２の周波数受信器９、第２の周波数送信器１０あるいは第３高周波スイッチ回路６とダイプレクサ３との接続を切り替えるものであり、ダイプレクサ３が第２の周波数受信器９に接続された場合、ダイプレクサ３からの第２、第３の周波数帯域の信号を受信器９に伝送し、ダイプレクサ３が第２の周波数送信器１０に接続された場合、送信器１０からの第２の周波数帯域の信号をダイプレクサ３に伝送する。
【００３３】
第３の高周波スイッチ回路６（特許請求の範囲に記載の第３のスイッチ手段の一部に相当）は、第２のアンテナ２あるいは第２の高周波スイッチ回路５と第３の周波数送受信器１１との接続を切り替えるものであり、第３の周波数送受信器１１が第２のアンテナ２に接続された場合、第３の周波数送受信器１１及び第２のアンテナ２間で送受信される第３の周波数帯域の信号を伝送する。また、第２の高周波スイッチ回路５及び第３の高周波スイッチ回路６によってダイプレクサ３が第３の周波数送受信器１１に接続された場合、第１のアンテナ１及び第３の周波数送受信器１１間で第３の周波数帯域の信号が伝送される。
【００３４】
なお、第１、第２及び第３の高周波スイッチ回路は、図示しない制御部によってそのスイッチ動作が制御されており、使用するアンテナ、周波数及び送信／受信の判別に応じて切り替えられる。このことは、以後の実施形態においても同様である。
【００３５】
このように、第１実施形態のアンテナ装置は、第２の高周波スイッチ回路５及び第３の高周波スイッチ回路６を用いることで、第１及び第２の周波数帯域におけるデュアルバンド・シングルモードのアンテナシステムと、第３周波数帯域におけるシングルモードのアンテナシステムとを構築する。
【００３６】
上記構成を有するアンテナ装置の動作を示す。第１のアンテナ１で第１の周波数帯域の信号を受信する場合、ダイプレクサ３によって高調波信号が濾過されて第１の周波数帯域の信号が第１の高周波スイッチ回路４に到達する。第１の高周波スイッチ回路４によって第１の周波数受信器７がダイプレクサ３に接続されると、第１の周波数帯域の信号は第１の周波数受信器７に伝送される。一方、第１の周波数送信器８から第１の周波数帯域の信号を送信する場合、第１の高周波スイッチ回路４によってダイプレクサ３と第１の周波数送信器８とが接続され、送信中、ダイプレクサ３を経由して第１のアンテナ１から第１の周波数帯域の信号が放射される。
【００３７】
また、第１のアンテナ１で第２の周波数帯域の信号を受信する場合、ダイプレクサ３によって第２、第３の周波数帯域の信号を含む高周波信号に濾過されて第２の高周波スイッチ回路５に到達する。第２の高周波スイッチ回路５によって第２の周波数受信器９がダイプレクサ３に接続されると、第２の周波数帯域の信号は第２の周波数受信器９に伝送される。一方、第２の周波数送信器１０から第２の周波数帯域の信号を送信する場合、第２の高周波スイッチ回路５によってダイプレクサ３と第２の周波数送信器１０とが接続され、送信中、ダイプレクサ３を経由して第１のアンテナ１から第２の周波数帯域の信号が放射される。
【００３８】
また、第３の周波数帯域の信号を送受信する場合、第１のアンテナ１または第２のアンテナ２のいずれかを選択して送受信可能である。第３の周波数帯域の信号を送受信する場合、第２の高周波スイッチ回路５によってダイプレクサ３は第３の高周波スイッチ回路６に接続され、さらに第３の高周波スイッチ回路６によって第２の高周波スイッチ回路５と第３の周波数送受信器１１とが接続されると、第３の周波数帯域の信号は第１のアンテナ１及び第３の周波数送受信器１１間で伝送される。したがって、第１のアンテナ１で受信される信号は、ダイプレクサ３によって第２、第３の周波数帯域の信号を含む高周波信号に濾過されて第２の高周波スイッチ回路５に到達し、第３の周波数送受信器１１に伝送される。
【００３９】
一方、第２のアンテナ２で第３の周波数帯域の信号を送受信する場合、第３の高周波スイッチ回路６によって第２のアンテナ２と第３の周波数送受信器１１とが接続され、第３の周波数帯域の信号は第２のアンテナ２及び第３の周波数送受信器１１間で伝送される。
【００４０】
このように、第３の周波数帯域の信号を送受信する場合、各アンテナの送受信効率に応じて、使用されるアンテナを切り替えるアンテナダイバーシチが実現される。
【００４１】
また、第１の周波数帯域の信号の受信と、第３の周波数帯域の信号の送信とを同時に行う場合、次の２通りの方法で実現可能である。その１つは、第２のアンテナ２で第３の周波数帯域の信号を送信し、第１のアンテナ１で第１の周波数帯域の信号を受信する方法である。他の１つは、第１のアンテナ１のみで第３の周波数帯域の信号を送信し、第１の周波数帯域の信号を受信する方法である。
【００４２】
このように、第１実施形態のアンテナ装置によれば、第１及び第２の周波数帯域のデュアルバンド・シングルモードのアンテナシステムと、第３の周波数帯域のシングルモードのアンテナシステムとの、３つの周波数帯域に対応した２つのアンテナシステムを、従来装置に対して大幅な変更を加えることなく、実現することができる。しかも、第１の周波数帯域の信号の受信と第３の周波数帯域の信号の送信を同時に行うことができる。また、第３の周波数帯域の信号に関し、アンテナダイバーシチ機能が実現可能なデュアルモード／マルチバンドアンテナ装置を簡単に提供できる。
【００４３】
［第２実施形態］
図２は第２実施形態におけるアンテナ装置が適用された無線通信装置の構成を示す図である。第２実施形態のアンテナ装置は、前記第１実施形態とほぼ同様の構成を有するので、同一の構成部分については前記第１実施形態と同一の符号を付すことにより、その説明を省略し、ここでは異なる構成部分についてだけ説明する。
【００４４】
すなわち、第２実施形態のアンテナ装置はアンテナ切換コネクタ１２を有し、このアンテナ切換コネクタ以外の構成及び動作は前記第１実施形態と同様である。アンテナ切換コネクタ１２には、外部アンテナに接続されたケーブルプラグ（図示せず）が装着自在であり、アンテナ切換コネクタ１２は、このケーブルプラグが装着された場合、外部アンテナとダイプレクサ３とを接続し、ケーブルプラグが装着されていない場合、第１のアンテナ１とダイプレクサ３とを接続するように、結線を切り替える。
【００４５】
このアンテナ装置は、第１のアンテナ１で受信される第１の周波数帯域の信号を第１の周波数受信器７で受信し、第１の周波数帯域の信号を第１の周波数送信器８から送信する。また、第２の周波数帯域の信号を第２の周波数受信器９で受信し、第２の周波数帯域の信号を第２の周波数送信器１０から送信する。さらに、第３の高周波スイッチ回路６が第２の高周波スイッチ回路５を選択している場合、すなわち、第３の高周波スイッチ回路６が第１のアンテナ１を選択している場合、第３の周波数送受信器１１からの第３の周波数帯域の信号を、第１のアンテナ１またはアンテナ切換コネクタ１２に装着された外部アンテナで通信することができる。
【００４６】
このように、第２実施形態のアンテナ装置によれば、従来のデュアルバンド・シングルモードのアンテナシステムと、第３周波数帯域のシングルモードのアンテナシステムとの、３つの周波数帯域に対応した２つのアンテナシステムを、大幅な変更を加えることなく、実現することができる。しかも、第１の周波数帯域の信号の受信と第３の周波数帯域の信号の送信を同時に行うことができる。また、第３の周波数帯域に関し、アンテナダイバーシチが実現される。さらに、第１のアンテナ１の代わりに外部アンテナを使用できるデュアルモード／マルチバンドアンテナ装置を簡単に提供できる。
【００４７】
［第３実施形態］
図３は第３実施形態におけるアンテナ装置が適用された無線通信装置の構成を示す図である。第３実施形態のアンテナ装置は、前記第１実施形態と同様の構成を有する他、第１の周波数帯域の信号を送信する第１の周波数送信器８の出力側、及び第２の周波数帯域の信号を送信する第２の周波数送信器１０の出力側に、それぞれの高調波を抑圧するための低域通過フィルタ１３、１４を設けたものである。この低域通過フィルタ１３、１４以外の構成及び動作は、前記第１実施形態と同様である。
【００４８】
すなわち、第１の周波数送信器８の出力信号及び第２の周波数送信器１０の出力信号のうち、それぞれの高調波成分が抑圧されて第１のアンテナから送信されるので、第１の周波数帯域・第２の周波数帯域の送信信号に関し、高調波成分が低減された信号を送信するアンテナ装置を提供できる。
【００４９】
このように、第３実施形態によれば、従来のデュアルバンド・シングルモードのアンテナシステムと、第３周波数帯域のシングルモードのアンテナシステムとの、３つの周波数帯域に対応した２つのアンテナシステムを、大幅な変更を加えることなく、実現することができる。しかも、第１の周波数帯域の信号の受信と第３の周波数帯域の信号の送信を同時に行うことができる。さらに、第３の周波数帯域に関し、アンテナダイバーシチが実現される。また、第１の周波数帯域及び第２の周波数帯域に関し、高調波が低減された信号を送信可能なデュアルモード／マルチバンドアンテナ装置を簡単に提供できる。
【００５０】
なお、第３実施形態のアンテナ装置においても、前記第２実施形態と同様、アンテナ切換コネクタを設けてもよい。また、低域通過フィルタ１３、１４のいずれか一方だけを設けてもよい。
【００５１】
［第４実施形態］
図４は第４実施形態におけるアンテナ装置が適用された無線通信装置の構成を示す図である。第４実施形態のアンテナ装置は、前記第３実施形態と同様の構成を有する。具体的に、第１の周波数帯域の受信信号（ＧＳＭ方式の９００ＭＨｚの信号）を処理する第１の周波数受信器としてＧＳＭ９００受信器１５、第１の周波数帯域の送信信号を発生する第１の周波数送信器としてＧＳＭ９００送信器１６、第２の周波数帯域の受信信号（ＤＣＳ方式の１８００ＭＨｚの信号）を処理する受信器としてＤＣＳ１８００受信器１７、第２の周波数帯域の送信信号を発生する送信器としてＤＣＳ１８００送信器１８、及び第３の周波数帯域の信号（ＷＣＤＭＡ方式の２ＧＨｚの信号）を発生・処理する送受信器としてＷＣＤＭＡ送受信器１９を有する。ここで、ＧＳＭは、global system for mobile communicationsを表す。ＤＣＳは、digital cellular systemを表す。ＷＣＤＭＡは、wideband code division multiple accessを表す。
【００５２】
上記構成を有するアンテナ装置の送受信動作を示す。第１の周波数帯域の受信波であるＧＳＭ９００の受信信号は、第１のアンテナ１で受信され、ダイプレクサ３によって高調波成分が濾過された後、第１の高周波スイッチ回路４に到達する。第１の高周波スイッチ回路４は、第１の周波数帯域の受信波であるＧＳＭ９００の信号を受信する場合、ＧＳＭ９００受信器１５を選択する。
【００５３】
また、第１の周波数帯域の送信波であるＧＳＭ９００の送信信号は、ＧＳＭ９００送信器１６から送信され、低域通過フィルタ１３で高調波成分が低減された後、送信中、ＧＳＭ９００送信器１６に接続されている第１の高周波スイッチ回路４及びダイプレクサ３を経由し、第１のアンテナ１から放射される。
【００５４】
第２の周波数帯域の受信波であるＤＣＳ１８００の受信信号は、第１のアンテナ１で受信され、ダイプレクサ３で第２・第３の周波数帯域の信号を含む高周波信号として、第２の高周波スイッチ回路５に到達する。第２の高周波スイッチ回路５は、第２の周波数帯域であるＤＣＳ１８００の信号を受信する場合、ＤＣＳ１８００受信器１７を選択する。
【００５５】
また、第２の周波数帯域の送信波であるＤＣＳ１８００の送信信号は、ＤＣＳ１８００送信器１８から送信され、低域通過フィルタ１４で高調波成分が低減された後、送信中、ＤＣＳ１８００送信器１８側に接続されている第２の高周波スイッチ回路５及びダイプレクサ３を経由し、第１のアンテナ１から放射される。
【００５６】
第３の周波数帯域の送受信波であるＷＣＤＭＡの信号は、第１のアンテナ１または第２のアンテナ２のいずれかを選択して送受信可能ある。第１のアンテナ１で送受信される信号は、ダイプレクサ３で第２・第３の周波数帯域の信号を含む高周波信号として、第２の高周波スイッチ回路５に到達する。第２の高周波スイッチ回路５は、ＷＣＤＭＡの信号を送受信する場合、第３の高周波スイッチ回路６に接続され、さらに第３の高周波スイッチ回路６は、第２の高周波スイッチ回路５に接続され、ＷＣＤＭＡ送受信器１９で送受信可能となる。
【００５７】
また、第２のアンテナ２でＷＣＤＭＡの信号を送信する場合、第３の高周波スイッチ回路６によって第２のアンテナ２が選択され、ＷＣＤＭＡ送受信器１９の信号は第２のアンテナ２で送受信される。つまり、ＷＣＤＭＡ送受信器１９に対し、各アンテナの送受信効率に応じて、接続されるアンテナを切り替えるアンテナダイバーシチが実現される。
【００５８】
さらに、ＷＣＤＭＡ方式による通信中、インターシステムをモニタする場合のコンプレストモード動作のうち、ダウンリンク（基地局から端末への通信）のコンプレストモードのみを使い、アップリンク（端末から基地局への通信）のコンプレストモードを使わずにＧＳＭ９００の受信を行う場合の動作は、本実施形態では２通りの方法で実現可能である。つまり、第２のアンテナ２でＷＣＤＭＡの信号を送信し、第１のアンテナ１でＧＳＭ９００の受信を行う方法と、第１のアンテナ１のみでＷＣＤＭＡの信号を送信し、ＧＳＭ９００の受信を行う方法である。
【００５９】
このように、第４実施形態のアンテナ装置によれば、従来のＧＳＭ９００／ＤＣＳ１８００のデュアルバンド・シングルモードのアンテナシステムと、ＷＣＤＭＡのシングルモードのアンテナシステムとの、９００ＭＨｚ／１８００ＭＨｚ／２ＧＨｚ周波数帯域の３つの周波数帯域に対応した２つのアンテナシステムを、大幅な変更を加えることなく、実現できる。
【００６０】
しかも、ＷＣＤＭＡ方式による通信中にインターシステムをモニタする場合のコンプレストモード動作のうち、ダウンリンクのコンプレスモードのみを使い、アップリンクのコンプレストモードを使わずにＧＳＭ９００の受信を行うことができる。さらに、ＷＣＤＭＡ方式に関し、アンテナダイバーシチが実現可能なデュアルモード／マルチバンドアンテナ装置を簡単に提供できる。
【００６１】
なお、第４実施形態のアンテナ装置においても、第２実施形態のアンテナ切換コネクタを用いてもよい。さらに、低域通過フィルタ１３、１４がなくても、アンテナ出力で無線機の規格を満すことが可能である場合、これらを設けなくてもよい。
【００６２】
［第５実施形態］
図５は第５実施形態におけるアンテナ装置が適用された無線通信装置の構成を示す図である。前記第１実施形態と同一の構成部分には、同一の符号が付している。この無線通信装置は、第１のアンテナ２０、第２のアンテナ２、ダイプレクサ２１、第１の高周波スイッチ回路４、第２の高周波スイッチ回路２２、第３の高周波スイッチ回路６、第１の周波数受信器７、第１の周波数送信器８、第２の周波数受信器９、第４の周波数受信器２３、第２／第４の周波数送信器２４及び第３の周波数送受信器１１を有する。第５実施形態のアンテナ装置は、第１のアンテナ２０、第２のアンテナ２、ダイプレクサ２１、第１の高周波スイッチ回路４、第２の高周波スイッチ回路２２及び第３の高周波スイッチ回路６を有して構成される。
【００６３】
第１のアンテナ２０は、第１、第２、第３及び第４の周波数帯域に整合がとれている。ダイプレクサ２１は、第１のアンテナ２０からの信号を第１の周波数帯域の信号と第２、第３及び第４の周波数帯域の信号とに分配する。
【００６４】
第１の高周波スイッチ回路４は、第１の周波数受信器７あるいは第１の周波数送信器８とダイプレクサ２１との接続を切り替えるものであり、ダイプレクサ２１が第１の周波数受信器７に接続された場合、ダイプレクサ２１からの第１の周波数帯域の信号を受信器７に伝送し、ダイプレクサ２１が第１の周波数送信器８に接続された場合、送信器８からの第１の周波数帯域の送信信号をダイプレクサ２１に伝送する。
【００６５】
第２の高周波スイッチ回路２２は、第２の周波数受信器９、第４の周波数受信器２３、第２／第４の周波数送信器２４あるいは第３の高周波スイッチ回路６とダイプレクサ２１との接続を切り替えるものであり、ダイプレクサ２１が第２の周波数受信器９に接続された場合、ダイプレクサ２１からの第２、第３及び第４の周波数帯域の信号を第２の周波数受信器９に伝送し、ダイプレクサ２１が第４の周波数受信器２３に接続された場合、ダイプレクサ２１からの第２、第３及び第４の周波数帯域の信号を第４の周波数受信器２３に伝送し、ダイプレクサ２１が第２／第４の周波数送信器２４に接続された場合、第２／第４の周波数送信器２４からの第２または第４の周波数帯域の信号をダイプレクサ２１に伝送する。
【００６６】
第３の高周波スイッチ回路６は、第２のアンテナ２あるいは第２の高周波スイッチ回路２２と第３の周波数送受信器１１との接続を切り替えるものであり、第３の周波数送受信器１１が第２のアンテナ２に接続された場合、第３の周波数送受信器１１及び第２のアンテナ２間で送受信される第３の周波数帯域の信号を伝送する。また、第２の高周波スイッチ回路２２及び第３の高周波スイッチ回路６によってダイプレクサ２１が第３の周波数送受信器１１に接続された場合、第１のアンテナ２０及び第３の周波数送受信器１１間で第３の周波数帯域の信号が伝送される。
【００６７】
このように、第５実施形態のアンテナ装置は、第２高周波スイッチ回路２２及び第３高周波スイッチ回路６を用いることで、第１、第２及び第４の周波数帯域におけるトライバンド・シングルモードのアンテナシステムと、第３周波数帯域におけるシングルモードのアンテナシステムとを実現している。
【００６８】
上記構成を有するアンテナ装置の動作を示す。第１の周波数帯域の信号は第１のアンテナ２０で受信され、ダイプレクサ２１によって高調波成分が濾過されると、第１の高周波スイッチ回路４に到達する。第１の高周波スイッチ回路４は、第１の周波数帯域の信号を受信する場合、第１の周波数受信器７に接続される。第１の周波数帯域の信号は、第１の周波数送信器８から送信され、送信中、第１の周波数送信器８側に接続された第１の高周波スイッチ回路４及びダイプレクサ２１を経由し、第１のアンテナ２０から放射される。
【００６９】
第２の周波数帯域の信号は、第１のアンテナ２０で受信され、ダイプレクサ２１で第２、第３及び第４の周波数成分を含む高周波信号として第２の高周波スイッチ回路２２に到達する。第２の高周波スイッチ回路２２は、第２の周波数帯域の信号を受信する場合、第２の周波数受信器９に接続される。
【００７０】
第４の周波数帯域の信号は、第１のアンテナ２０で受信され、ダイプレクサ２１で第２、第３及び第４の周波数帯域の信号を含む高周波信号として第２の高周波スイッチ回路２２に到達する。第２の高周波スイッチ回路２２は、第４の周波数帯域の信号を受信する場合、第４の周波数受信器２３に接続される。
【００７１】
また、第２及び第４の周波数帯域の信号は、第２／第４の周波数送信器２４から送信され、送信中、第２の高周波スイッチ回路２２によって第２／第４の周波数送信器２４側に接続されたダイプレクサ２１を経由し、第１のアンテナ２０から放射される。
【００７２】
第３の周波数帯域の信号は、第１のアンテナ２０または第２のアンテナ２のいずれかを選択して送受信可能ある。第１のアンテナ２０で送受信される信号は、ダイプレクサ２１で第２、第３及び第４の周波数帯域の信号を含む高周波信号として第２の高周波スイッチ回路２２に到達する。第２の高周波スイッチ回路２２は、第３の周波数帯域の信号を送受信する場合、第３の高周波スイッチ回路６に接続され、第３の高周波スイッチ回路６は第２の高周波スイッチ回路２２に接続され、第３の周波数帯域の信号は第３の周波数送受信器１１で送受信可能となる。
【００７３】
第２のアンテナ２で第３の周波数帯域の信号を送受信する場合、第３の高周波スイッチ回路６は第２のアンテナ２に接続される。つまり、第３の周波数帯域の信号に対し、各アンテナの送受信効率に応じて、接続されるアンテナを切り替えるアンテナダイバーシチ機能を実現することができる。
【００７４】
また、第１の周波数帯域の信号の受信と、第３の周波数帯域の信号の送信とを同時に行う場合、２通りの方法で実現可能である。その１つは、第２のアンテナ２で第３の周波数帯域の信号を送信し、第１のアンテナ２０で第１の周波数帯域の信号を受信する方法である。他の１つは、第１のアンテナ２０のみで第３の周波数帯域の信号を送信し、第１の周波数帯域の信号を受信する方法である。
【００７５】
第５実施形態のアンテナ装置によれば、従来のトライバンド・シングルモードのアンテナシステムと、第３周波数帯域のシングルモードのアンテナシステムとの、４つの周波数帯域に対応した２つのアンテナシステムを、大幅な変更を加えることなく、実現することができる。しかも、第１の周波数帯域の信号の受信と、第３の周波数帯域の信号の送信とを同時に行うことができる。また、第３の周波数帯域の信号に関し、アンテナダイバーシチ機能が実現可能なデュアルモード／マルチバンドアンテナ装置を簡単に提供できる。
【００７６】
［第６実施形態］
図６は第６実施形態におけるアンテナ装置が適用された無線通信装置の構成を示す図である。第６実施形態のアンテナ装置は、前記第５実施形態とほぼ同様の構成を有するので、同一の構成部分については前記第５実施形態と同一の符号を付すことにより、その説明を省略し、ここでは異なる構成部分についてだけ説明する。
【００７７】
すなわち、第６実施形態のアンテナ装置はアンテナ切換コネクタ１２を有し、このアンテナ切換コネクタ以外の構成及び動作は前記第５実施形態と同様である。アンテナ切換コネクタ１２は、外部アンテナに接続されたケーブルプラグ（図示せず）が装着自在であり、このケーブルプラグが装着された場合、外部アンテナとダイプレクサ３とを接続し、ケーブルプラグが装着されていない場合、第１のアンテナ１とダイプレクサ３とを接続するように、結線を切り替えるものである。
【００７８】
このアンテナ装置は第１のアンテナ２０で送受信される第１の周波数帯域の信号を第１の周波数受信器７で受信し、第１の周波数帯域の信号を第１の周波数送信器８から送信し、第２の周波数帯域の信号を第２の周波数受信器９で受信し、第４の周波数帯域の信号を第４の周波数受信器２３で受信し、第２／第４の周波数送信器２４から第２／第４の周波数帯域の信号を送信する際、第３の高周波スイッチ回路６が第２の高周波スイッチ回路２２側を選択する。すなわち、第３高周波スイッチ回路６が第１のアンテナ側を選択している場合、第３の周波数送受信器１１からの第３の周波数帯域の信号を第１のアンテナ１またはアンテナ切換コネクタ１２に装着された外部アンテナで通信することができる。
【００７９】
このように、第６実施形態のアンテナ装置によれば、従来のトライバンド・シングルモードのアンテナシステムと、第３周波数帯域のシングルモードのアンテナシステムとの、４つの周波数帯域に対応した２つのアンテナシステムを、大幅な変更を加えることなく実現することができる。しかも、第１の周波数帯域の信号の受信と、第３の周波数帯域の信号の送信とを同時に行うことができる。さらに、第３の周波数帯域の信号に関し、アンテナダイバーシチが使用可能であり、この場合、第１のアンテナ２０の代わりに外部アンテナも使用できるデュアルモード／マルチバンドアンテナ装置を簡単に提供できる。
【００８０】
［第７実施形態］
図７は第７実施形態におけるアンテナ装置が適用された無線通信装置の構成を示す図である。第７実施形態のアンテナ装置は、第５実施形態と同様の構成を有する他、第１の周波数帯域の信号を送信する第１の周波数送信器８の出力側、及び第２／第４の周波数帯域の信号を送信する第２／第４の周波数送信器２４の出力側に、それぞれの高調波を抑圧するための低域通過フィルタ１３、２５を設けたものである。この低域通過フィルタ１３、２５以外の構成・動作は前記第５実施形態と同様である。
【００８１】
すなわち、第１の周波数送信器８の出力信号及び第２／第４の周波数送信器２４の出力信号のうち、それぞれの高調波成分が抑圧されて第１のアンテナ２０から送信されるので、第１の周波数帯域・第２の周波数帯域に関し、送信信号の高調波成分を低減した信号を送信するアンテナ装置を提供できる。
【００８２】
このように、第７実施形態によれば、従来のトライバンド・シングルモードのアンテナシステムと、第３周波数帯域のシングルモードのアンテナシステムとの、４つの周波数帯域に対応した２つのアンテナシステムを、大幅な変更を加えることなく実現することができる。しかも、第１の周波数帯域の信号の受信と、第３の周波数帯域の信号の送信とを同時に行うことができる。また、第３の周波数帯域に関し、アンテナダイバーシチが使用可能である。さらに、第１の周波数帯域及び第２／第４の周波数帯域に関し、高調波成分を低減した信号を送信するアンテナ装置を簡単に提供できる。
【００８３】
なお、第７実施形態のアンテナ装置においても、前記第６実施形態と同様、アンテナ切換コネクタを設けてもよい。また、低域通過フィルタ１３、１４のいずれか一方だけを設けてもよい。
【００８４】
［第８実施形態］
図８は第８実施形態におけるアンテナ装置が適用された無線通信装置の構成を示す図である。第８実施形態の無線通信装置は、前記第７実施形態と同様の構成を有する。具体的に、第１の周波数帯域の受信信号（ＧＳＭ方式の９００ＭＨｚの信号）を処理する第１の周波数受信器としてＧＳＭ９００受信器１５、第１の周波数帯域の送信信号を発生する第１の周波数送信器としてＧＳＭ９００送信器１６、第２の周波数帯域の受信信号（ＤＣＳ方式の１８００ＭＨｚの信号）を処理する受信器としてＤＣＳ１８００受信器１７、第４の周波数帯域の受信信号（ＰＣＳ方式の１９００ＭＨｚの信号）を処理する受信器としてＰＣＳ１９００受信器２６、第２／第４の周波数帯域の送信信号を発生する送信器としてＤＣＳ１８００／ＰＣＳ１９００送信器２７、及び第３の周波数帯域の信号（ＷＣＤＭＡ方式の２ＧＨｚの信号）を発生・処理する送信器としてＷＣＤＭＡ送受信回路１９を有する。ここで、ＰＣＳは、personal communications serviceを表す。
【００８５】
上記構成を有する無線通信装置の動作を示す。第１の周波数帯域の受信波であるＧＳＭ９００の受信信号は、第１のアンテナ２０で受信され、ダイプレクサ２１によって高調波成分が濾過されて第１の高周波スイッチ回路４に到達する。第１の高周波スイッチ回路４は、第１の周波数帯域であるＧＳＭ９００の信号を受信する場合、ＧＳＭ９００受信器１５に接続される。
【００８６】
第１の周波数帯域の送信波であるＧＳＭ９００の送信信号は、ＧＳＭ９００送信器１６から送信され、低域通過フィルタ１３で高調波成分が低減された後、送信中、ＧＳＭ９００送信器１６側に接続されている第１の高周波スイッチ回路４及びダイプレクサ２１を経由し、第１のアンテナ２０から放射される。
【００８７】
第２の周波数帯域の受信波であるＤＣＳ１８００の受信信号は、第１のアンテナ２０で受信され、ダイプレクサ２１で第２、第３及び第４の周波数帯域の信号を含む高周波信号として第２の高周波スイッチ回路２２に到達する。第２の高周波スイッチ回路２２は、第２の周波数帯域であるＤＣＳ１８００の信号を受信する場合、ＤＣＳ１８００受信器１７に接続される。
【００８８】
第４の周波数帯域の受信波であるＰＣＳ１９００の受信信号は、第１のアンテナ２０で受信され、ダイプレクサ２１で第２、第３及び第４の周波数帯域の信号を含む高周波信号として第２の高周波スイッチ回路２２に到達する。第２の高周波スイッチ回路２２は、第４の周波数帯域であるＰＣＳ１９００の信号を受信する場合、ＰＣＳ１９００受信器２６に接続される。
【００８９】
第２及び第３の周波数帯域の送信波であるＤＣＳ１８００及びＰＣＳ１９００の送信信号は、ＤＣＳ１８００／ＰＣＳ１９００送信器２７から送信され、低域通過フィルタ２５で高調波成分が低減された後、送信中、ＤＣＳ１８００／ＰＣＳ１９００送信器２７側に接続されている第２の高周波スイッチ２２及びダイプレクサ２１を経由し、第１のアンテナ２０から放射される。
【００９０】
第３の周波数帯域の送受信波であるＷＣＤＭＡの信号は、第１のアンテナ２０または第２のアンテナ２のいずれかを選択して送受信可能ある。第１のアンテナ２０によって送受信される信号は、ダイプレクサ２１で第２、第３及び第４の周波数帯域の信号を含む高調波信号として第２の高周波スイッチ回路２２に到達する。第２の高周波スイッチ回路２２は、ＷＣＤＭＡの信号を送受信する場合、第３の高周波スイッチ回路６に接続され、第３の高周波スイッチ回路６は第２の高周波スイッチ回路２２側に接続されてＷＣＤＭＡ送受信器１９で送受信可能となる。
【００９１】
第２のアンテナ２でＷＣＤＭＡの信号を送受信する場合、第３の高周波スイッチ回路６を第２のアンテナ２に接続し、ＷＣＤＭＡ送受信器１９の信号は第２のアンテナ２で送受信される。つまり、ＷＣＤＭＡ送受信器１９に対し、各アンテナの送受信効率に応じて、接続されるアンテナを切り替えるアンテナダイバーシチを使用できる。
【００９２】
さらに、ＷＣＤＭＡ方式による通信中にインターシステムをモニタする場合のコンプレストモード動作のうち、ダウンリンクのコンプレスモードのみを使い、アップリンクのコンプレストモードを使わずにＧＳＭ９００の受信を行う場合、本実施形態では２通りの方法で実現可能である。つまり、第２のアンテナ２でＷＣＤＭＡの信号の送信を行い、第１のアンテナ２０でＧＳＭ９００の受信を行う方法、及び第１のアンテナ１のみでＷＣＤＭＡの信号の送信を行うとともに、ＧＳＭ９００の受信を行う方法である。
【００９３】
このように、第８実施形態によれば、従来のＧＳＭ９００／ＤＣＳ１８００／ＰＣＳ１９００のトライバンド・シングルモードのアンテナシステムと、ＷＣＤＭＡのシングルモードのアンテナシステムとの、９００ＭＨｚ／１８００ＭＨｚ／１９００ＭＨｚ／２ＧＨｚ周波数帯域の４つの周波数帯域に対応した２つのアンテナシステムを、大幅な変更を加えることなく実現することができる。
【００９４】
しかも、ＷＣＤＭＡ方式による通信中にインターシステムをモニタする場合のコンプレストモード動作のうち、ダウンリンクのコンプレストモードのみを使い、アップリンクのコンプレストモードを使わずにＧＳＭ９００の受信を行うことができる。さらに、ＷＣＤＭＡ方式に関し、アンテナダイバーシチ機能が実現可能なアンテナ装置を簡単に提供できる。
【００９５】
なお、第８実施形態のアンテナ装置においても、第６実施形態のアンテナ切換コネクタを設けてもよい。さらに、低域通過フィルタ１３、２５がなくても、アンテナ出力だけで無線機の規格を満すことが可能である場合、これらを設けなくてもよい。
【００９６】
［第９実施形態］
図９は第９実施形態におけるアンテナ装置が適用された無線通信装置の構成を示す図である。第９実施形態の無線通信装置は、前記第２実施形態と同様の構成の他、制御部３０を有する。この制御部３０（特許請求の範囲に記載の制御手段に相当）は、アンテナ切換コネクタ２８に外部アンテナに接続されたケーブルプラグ２９が装着されたことを認識すると、第３の高周波スイッチ回路６を第２の高周波スイッチ回路５側に接続する機能を有する。
【００９７】
すなわち、この無線通信装置では、第３の周波数送受信器１１で第３の周波数帯域の信号を通信する際、外部アンテナに接続されたケーブルプラグ２９がアンテナ切換コネクタ２８に装着されていることを制御部３０が認識すると、制御部３０は第３の高周波スイッチ回路６を第２の高周波スイッチ回路５側に接続する。これに応じて、第２の高周波スイッチ回路５は、第３の高周波スイッチ回路６側に接続される。したがって、外部アンテナ用のケーブルプラグ２９がアンテナ切換コネクタ２８に装着された場合、第３の周波数送受信器１１の信号は必ず外部アンテナに伝送される。その他の動作は前記第２実施形態と同様である。
【００９８】
このように、第９実施形態によれば、従来のデュアルバンド・シングルモードのアンテナシステムと、第３周波数帯域のシングルモードのアンテナシステムとの、３つの周波数帯域に対応した２つのアンテナシステムを、大幅な変更を加えることなく実現することができる。しかも、第１の周波数帯域の信号の受信と、第３の周波数帯域の信号の送信とを同時に行うことができる。また、第３の周波数帯域に関し、アンテナダイバーシチが使用可能である。さらに、第１のアンテナ１及び第２のアンテナ２を使わずに、外部アンテナのみを使用することもできるデュアルモード／マルチバンドアンテナ装置を簡単に提供できる。
【００９９】
なお、第９実施形態の無線通信装置に、前記第３実施形態の低域通過フィルタを合わせて使用してもよい。また、第１の周波数受信器７をＧＳＭ９００受信器、第１の周波数送信器８をＧＳＭ９００送信器、第２の周波数受信器９をＤＣＳ１８００受信器、第２の周波数送信器１０をＤＣＳ１８００送信器、及び第３の周波数送受信器１１をＷＣＤＭＡ送受信器で構成してもよい。さらに、第６実施形態と同様、第４の周波数帯域の信号を受信する受信器及び送信器を組み合わせて構成してもよい。また、第７実施形態にある低域通過フィルタを組み合わせてもよい。さらに、第８実施形態のＧＳＭ９００、ＤＣＳ１８００、ＰＣＳ１９００、ＷＣＤＭＡに対応した無線通信装置であってもよい。
【０１００】
【発明の効果】
以上説明したように本発明によれば、２つの無線通信システム及び３つの周波数帯域など、複数の無線通信システムと周波数帯域に対応し、異なる無線通信システムの受信及び送信を同時に行うことができ、かつアンテナダイバーシチを使用可能なアンテナ装置を簡易な構成で提供することができる。
【図面の簡単な説明】
【図１】本発明の第１実施形態におけるアンテナ装置が適用された無線通信装置の構成を示すブロック図
【図２】本発明の第２実施形態におけるアンテナ装置が適用された無線通信装置の構成を示すブロック図
【図３】本発明の第３実施形態におけるアンテナ装置が適用された無線通信装置の構成を示すブロック図
【図４】本発明の第４実施形態におけるアンテナ装置が適用された無線通信装置の構成を示すブロック図
【図５】本発明の第５実施形態におけるアンテナ装置が適用された無線通信装置の構成を示すブロック図
【図６】本発明の第６実施形態におけるアンテナ装置が適用された無線通信装置の構成を示すブロック図
【図７】本発明の第７実施形態におけるアンテナ装置が適用された無線通信装置の構成を示すブロック図
【図８】本発明の第８実施形態におけるアンテナ装置が適用された無線通信装置の構成を示すブロック図
【図９】本発明の第９実施形態におけるアンテナ装置が適用された無線通信装置の構成を示すブロック図
【符号の説明】
１、２０  第１のアンテナ
２  第２のアンテナ
３、２１  ダイプレクサ
４  第１の高周波スイッチ回路
５、２２  第２の高周波スイッチ回路
６  第３の高周波スイッチ回路
７  第１の周波数受信器
８  第１の周波数送信器
９  第２の周波数受信器
１０  第２の周波数送信器
１１  第３の周波数送受信器
１２、２８  アンテナ切換コネクタ
１３、１４、２５  低域通過フィルタ
１５  ＧＳＭ９００受信器
１６  ＧＳＭ９００送信器
１７  ＤＣＳ１８００受信器
１８  ＤＣＳ１８００送信器
１９  ＷＣＤＭＡ送受信器
２３  第４の周波数受信器
２４  第２／第４の周波数送信器
２６  ＰＣＳ１９００受信器
２７  ＤＣＳ１８００／ＰＣＳ１９００送信器
３０  制御部
【図１】
0003672196.tif 000002
【図２】
0003672196.tif 000003
【図３】
0003672196.tif 000004
【図４】
0003672196.tif 000005
【図５】
0003672196.tif 000006
【図６】
0003672196.tif 000007
【図７】
0003672196.tif 000008
【図８】
0003672196.tif 000009
【図９】
0003672196.tif 000010